(57)【要約】【課題】簡素な仕組みで受信ＡＧＣの制御振幅誤差を迅速に低減させるＡＧＣ制御技術を提供する。【解決手段】受信回路５のＲＳＳＩ電圧とＡＧＣ利得との関係を示す受信ＡＧＣテーブルを用いてＡＧＣ制御を行うＯＦＤＭ方式の無線送受信機１であって、参照信号出力部１０から出力させた参照信号を直交復調器５０で復調した信号の振幅と、ＲＳＳＩ電圧検出器２０で検出したＲＳＳＩ電圧とに基づき受信ＡＧＣテーブルにおけるＲＳＳＩ電圧に対するＡＧＣ利得のオフセットを補正する。そのとき、直交復調器５０で復調して得られた前記参照信号のＩ成分とＱ成分とを二乗平均して求めた振幅の値が所定の範囲内の場合には、直交復調信号の振幅及びＲＳＳＩ電圧を受信ＡＧＣテーブルの補正に用い、所定の範囲内にない場合には、直交復調信号の振幅及びＲＳＳＩ電圧を受信ＡＧＣテーブルの補正に用いない。【選択図】図１
2009194836.tif 000002
【特許請求の範囲】
【請求項１】
ＯＦＤＭ方式の無線送受信機において、受信回路のＲＳＳＩ電圧とＡＧＣ利得との関係を示す受信ＡＧＣテーブルを用いてＡＧＣ制御を行うＡＧＣ制御方法であって、
前記無線送受信機の送信回路から所定の特性を有する参照信号を出力させ、
前記参照信号が前記無線送受信機の受信回路へ漏れ信号として流れるときのＲＳＳＩ電圧を検出し、
前記参照信号を前記受信回路で復調した直交復調信号の振幅を検出し、
前記直交復調信号の振幅と前記検出したＲＳＳＩ電圧とに基づき、前記受信ＡＧＣテーブルを補正することを特徴とするＯＦＤＭ方式におけるＡＧＣ制御方法。
【請求項２】
請求項１に記載のＯＦＤＭ方式におけるＡＧＣ制御方法において、
前記受信ＡＧＣテーブルの補正では、前記直交復調信号の振幅と前記ＲＳＳＩ電圧とから前記受信ＡＧＣテーブルにおける前記ＲＳＳＩ電圧に対する前記ＡＧＣ利得のオフセットを補正することを特徴とするＯＦＤＭ方式におけるＡＧＣ制御方法。
【請求項３】
受信回路のＲＳＳＩ電圧とＡＧＣ利得との関係を示す受信ＡＧＣテーブルを用いてＡＧＣ制御を行うＯＦＤＭ方式の無線送受信機であって、
所定の特性を有する参照信号を出力する参照信号出力手段を備えた送信回路と、
前記参照信号出力手段から出力した参照信号が漏れ信号として流れるときのＲＳＳＩ電圧を検出するＲＳＳＩ電圧検出手段及び前記参照信号を直交復調する直交復調手段を有する受信回路と、
前記参照信号出力手段から前記参照信号を出力させ、出力させた前記参照信号を前記直交復調手段で復調した直交復調信号の振幅と、前記ＲＳＳＩ電圧検出手段で検出したＲＳＳＩ電圧と、に基づき前記受信ＡＧＣテーブルを補正する補正手段と、
を備えたことを特徴とするＯＦＤＭ方式の無線送受信機。
【請求項４】
請求項３に記載のＯＦＤＭ方式の無線送受信機において、
前記補正手段は、
前記直交復調信号の振幅と前記ＲＳＳＩ電圧とから前記受信ＡＧＣテーブルにおける前記ＲＳＳＩ電圧に対する前記ＡＧＣ利得のオフセットを補正することを特徴とするＯＦＤＭ方式の無線送受信機。
【請求項５】
請求項３又は請求項４に記載のＯＦＤＭ方式の無線送受信機において、
前記参照信号出力手段は、
直交するＩ成分及びＱ成分の少なくとも一方の振幅を制御する直交成分振幅制御手段と、
前記直交成分振幅制御手段で振幅を制御した前記Ｉ成分及び前記Ｑ成分を直交変調して、前記参照信号として出力する直交変調手段と、
を備えたことを特徴とするＯＦＤＭ方式の無線送受信機。
【請求項６】
請求項３〜請求項５の何れかに記載のＯＦＤＭ方式の無線送受信機において、
前記補正手段は、
前記直交復調手段で復調して得られた前記参照信号の前記Ｉ成分と前記Ｑ成分とを二乗平均して振幅を求め、該求めた振幅の値が所定の範囲内の場合には、前記直交復調信号の振幅及び前記ＲＳＳＩ電圧検出手段で得られたＲＳＳＩ電圧を前記受信ＡＧＣテーブルの補正に用い、前記所定の範囲内にない場合には、前記直交復調信号の振幅及び前記ＲＳＳＩ電圧検出手段で得られたＲＳＳＩ電圧を前記受信ＡＧＣテーブルの補正に用いないことを特徴とするＯＦＤＭ方式の無線送受信機。
【発明の詳細な説明】
【技術分野】
【０００１】
本発明は、ＯＦＤＭ方式を用いた無線受信機における受信利得を自動的に制御するＡＧＣ制御技術に関する。
【背景技術】
【０００２】
従来、移動体ディジタル音声放送や地上ディジタル無線通信においては、直交周波数分割多重（ＯＦＤＭ：Orthogonal Frequency Division Multiplexingの略）方式が用いられている。ＯＦＤＭ方式は、情報を幾つかの低レートなキャリア（搬送波）に分けて伝送するマルチキャリア変調方式のうち、各キャリアが互いに直交するようにしたものである。ＯＦＤＭ方式では、直交送信により、隣接するキャリアの間隔を密にすることができるので、周波数効率をよくすることができる。また、各キャリアで送る信号のビットレートを小さくでき、伝送時のマルチパスの影響が少なくなるという特徴を有している。
【０００３】
しかし、ＯＦＤＭ方式では各サブキャリアの変調信号の位相が同相になるため大きなピーク電力を持つので、変調信号が非定振幅となる。変調信号が非定振幅になると、変調信号のピーク電圧に対し受信ＡＧＣのレンジが有限であるため、受信ＡＧＣの制御振幅誤差に対する要求が厳しくなる。
【０００４】
この受信ＡＧＣの制御振幅誤差は、主にＲＳＳＩ（Receive Signal Strength Indicator 受信信号強度表示）回路の直流オフセットに起因しており、この直流オフセットは、集積回路上のトランジスタ特性、抵抗値のばらつきに起因するものであり、本質的に存在するものである。
【０００５】
このため従来は、トランジスタのバイアス電圧を手動で調整することによって、ＲＳＳＩ回路の直流オフセットを押さえていたが、この方式では、出荷後の経時変化や温度変化に対応できないし、調整の工数も大きなものとなる。
【０００６】
また、ＡＧＣ制御にあたり減衰値を制御するためのバイアス電圧と受信電力値の関係を示すテーブルを用いるのが迅速な減衰制御を行うに有利な方式である。この方式においては、装置ごとにテーブルの個別誤差を修正する必要があるため、テーブル補正を受信信号に基づいて行う技術がある（例えば特許文献１参照）。
【特許文献１】特開２００２−１７６４１１号公報
【発明の開示】
【発明が解決しようとする課題】
【０００７】
ところが、上記特許文献１に記載の方式では、テーブルの補正のために多数のデータが必要であるため多数のパケット信号を受信することが必要となる。したがって、テーブルの補正までに時間を要するという問題がある。
【０００８】
本発明は、こうした問題に鑑みなされたもので、簡素な仕組みで受信ＡＧＣの制御振幅誤差を迅速に低減させるＡＧＣ制御技術を提供することを目的とする。
【課題を解決するための手段】
【０００９】
かかる問題を解決するためになされた請求項１に記載のＯＦＤＭ方式におけるＡＧＣ制御方法は、ＯＦＤＭ方式の無線送受信機（１）において、受信回路（５）のＲＳＳＩ電圧とＡＧＣ利得との関係を示す受信ＡＧＣテーブルを用いてＡＧＣ制御を行うＡＧＣ制御方法であって、無線送受信機（１）の送信回路（３）から所定の特性を有する参照信号を出力させ、参照信号が無線送受信機（１）の受信回路（５）へ漏れ信号として流れるときのＲＳＳＩ電圧を検出し、参照信号を受信回路（５）で復調した直交復調信号の振幅を検出し、直交復調信号の振幅と検出したＲＳＳＩ電圧とに基づき、受信ＡＧＣテーブルを補正することを特徴とする。
【００１０】
このようなＯＦＤＭ方式におけるＡＧＣ制御方法によれば、ＡＧＣ制御に用いられる、受信回路（５）のＲＳＳＩ電圧とＡＧＣ利得との関係を示す受信ＡＧＣテーブルを、簡単な仕組みで迅速に補正することができ、ひいては、ＡＧＣ制御における制御振幅誤差を迅速に低減させることができる。以下説明する。
【００１１】
ＯＦＤＭ方式の無線送受信機では、受信の際の入力信号を増幅する際の利得が適切な値となるようにＡＧＣ制御（Automatic Gain Control)制御を行っている。このＡＧＣ制御においては、入力信号の振幅の誤差である制御振幅誤差が発生する。この制御振幅誤差は、主にＲＳＳＩ（Receive Signal Strength Indicatorの略、受信信号強度表示）回路の直流オフセットに起因して発生する。
【００１２】
したがって、この直流オフセットの影響を取り除いてやれば制御振幅誤差が発生せず、適切なＡＧＣ制御を行うことができる。直流オフセットの影響を取り除くためには、受信回路（５）のＲＳＳＩ電圧とＡＧＣ回路の利得（ＡＧＣ利得）との関係を示す受信ＡＧＣテーブルを補正するのが簡易な方法である。
【００１３】
この受信ＡＧＣテーブルについては、受信回路（５）の構成品、例えばトランジスタの特性にばらつきがあるため、基準となるテーブルを個々の製品ごとに補正する必要がある。従来、この補正は、外部から送信される多数のパケットを受信し、多数のパケットの受信結果から補正を行っていたため、補正を完了するまでに時間が掛かるという問題があった。
【００１４】
ところが、請求項１に記載のＡＧＣ制御方法では、無線送受信機（１）の送信回路（３）から所定の特性を有する参照信号を出力させ、参照信号が無線送受信機（１）の受信回路（５）へ漏れ信号として流れるときのＲＳＳＩ電圧を検出し、参照信号を無線受信機の受信回路（５）で復調した直交復調信号の振幅を検出する。そして、直交復調信号の振幅と検出したＲＳＳＩ電圧とに基づき、受信ＡＧＣテーブルを補正する。
【００１５】
したがって、従来のように、外部から送信される多数のパケットを受信する必要がなく、その特性を無線送受信機（１）内部で制御できる参照信号を用いて受信ＡＧＣテーブルを補正することができるので、迅速に補正を行うことができる。
【００１６】
また、送信回路（３）やＲＳＳＩ電圧を検出する回路は無線送受信機が元来備えているものである。つまり、特別な回路などを必要とせず補正をすることができるので、簡単な仕組みで補正をすることができる。
【００１７】
ところで、受信ＡＧＣテーブルの誤差としては、ＲＳＳＩ電圧に対するＡＧＣ利得のオフセットが発生する場合が多い。そこで請求項２に記載のように、受信ＡＧＣテーブルの補正では、直交復調信号の振幅とＲＳＳＩ電圧とから受信ＡＧＣテーブルにおけるＲＳＳＩ電圧に対するＡＧＣ利得のオフセットを補正すると、効率よく受信ＡＧＣテーブルの補正をすることが可能となる。
【００１８】
請求項３に記載の発明は、受信回路（５）のＲＳＳＩ電圧とＡＧＣ利得との関係を示す受信ＡＧＣテーブルを用いてＡＧＣ制御を行うＯＦＤＭ方式の無線送受信機（１：この欄においては、発明に対する理解を容易にするため、必要に応じて「発明を実施するための最良の形態」欄において用いた符号を付すが、この符号によって請求の範囲を限定することを意味するものではない。）であって、送信回路（３）、受信回路（５）及び補正手段（３０）を備えている。
【００１９】
送信回路（３）は、所定の特性を有する参照信号を出力する参照信号出力手段（１０）を備えており、受信回路（５）は、参照信号出力手段（１０）から出力した参照信号が漏れ信号として流れるときのＲＳＳＩ電圧を検出するＲＳＳＩ電圧検出手段（２０）及び参照信号を直交復調する直交復調手段（５０）を有している。
【００２０】
補正手段（３０）は、参照信号出力手段（１０）から参照信号を出力させ、出力させた参照信号を直交復調手段（５０）で復調した直交復調信号の振幅と、ＲＳＳＩ電圧検出手段（２０）で検出したＲＳＳＩ電圧と、に基づき受信ＡＧＣテーブルを補正する。
【００２１】
このようなＯＦＤＭ方式の無線送受信機（１）では、送信回路（３）から参照信号を出力させ、参照信号が受信回路（５）へ漏れ信号として流れるときのＲＳＳＩ電圧を検出し、直交復調手段（５０）で復調した直交復調信号の振幅を検出する。そして、直交復調信号の振幅と検出したＲＳＳＩ電圧とに基づき、受信ＡＧＣテーブルを補正する。
【００２２】
したがって、請求項１における説明でも述べたように、従来の無線送受信機のように、外部から送信される多数のパケットを受信する必要がなく、出力の値が無線送受信機（１）内部で設定できる参照信号を用いて受信ＡＧＣテーブルを補正することができるので、迅速に補正を行うことができる。
【００２３】
また、送信回路（３）やＲＳＳＩ電圧検出手段（３０）は、無線送受信機が元来備えているものである。つまり、特別な回路などを必要とせず補正をすることができるので、簡単な仕組みで補正をすることができる。
【００２４】
また、請求項４に記載のように、補正手段（３０）において、参照信号出力手段（１０）が出力する参照信号の値とＲＳＳＩ電圧とから、受信ＡＧＣテーブルにおけるＲＳＳＩ電圧に対するＡＧＣ利得のオフセットを補正すると、受信ＡＧＣテーブルの誤差として、発生する可能性が高いＲＳＳＩ電圧に対するＡＧＣ利得のオフセットを効率よく補正をすることが可能となる。
【００２５】
ところで、ＯＦＤＭ方式の無線送受信機（１）においては、送信回路（３）から出力する信号は、直交するＩ成分とＱ成分とを変調したものである。そこで、請求項５に記載のように、参照信号出力手段（１０）を直交するＩ成分とＱ成分の少なくとも一方の振幅を制御する直交成分振幅制御手段（３０）と、直交成分振幅制御手段（３０）で振幅を制御したＩ成分とＱ成分と直交変調して参照信号として出力する直交変調手段（４０）と、を備えるようにする。
【００２６】
このようにすると、任意の振幅と位相を有する参照信号を出力させることができるので、例えば、個々の受信回路（５）の構成部品の特性に合わせて参照信号の特性を設定することができる。したがって、補正の精度を高めることができる。
【００２７】
ところで、参照信号を出力して受信ＡＧＣテーブルの補正を行う際、参照信号の出力の大きさが大きくなり過ぎたり、位相が所定の条件となった場合に、受信回路（５）が発振状態になったりする場合がある。
【００２８】
発振状態になった場合には、ＲＳＳＩ電圧は、参照信号の値とは無関係に変動してしまう。また、この発振が発生するのは、個々の受信回路（５）の特性によるものであるから、予め発振条件を特定しておくことは困難である。
【００２９】
したがって、請求項６に記載のように、補正手段（３０）は、直交復調手段（５０）で復調して得られた参照信号のＩ成分とＱ成分とを二乗平均して振幅を求める。
そして、求めた振幅の値が所定の範囲内の場合には、直交復調信号の振幅及びＲＳＳＩ電圧検出手段で得られたＲＳＳＩ電圧を受信ＡＧＣテーブルの補正に用い、所定の範囲内にない場合には、直交復調信号の振幅及びＲＳＳＩ電圧検出手段で得られたＲＳＳＩ電圧を受信ＡＧＣテーブルの補正に用いないようにするとよい。
【００３０】
このようにすると、発振状態となって、ＲＳＳＩ電圧と直交復調信号の振幅が参照信号の値とは無関係に変動する状態、つまり、ＲＳＳＩ電圧と直交復調信号の振幅が補正にあたっては無意味な値となった場合には、その直交復調信号の振幅及びＲＳＳＩ電圧が受信ＡＧＣテーブルの補正に用いられないので、受信補正テーブルを正確に補正することができる。
【発明を実施するための最良の形態】
【００３１】
以下、本発明が適用された実施形態について図面を用いて説明する。なお、本発明の実施の形態は、下記の実施形態に何ら限定されることはなく、本発明の技術的範囲に属する限り種々の形態を採りうる。
【００３２】
図１は、本発明が適用されたＯＦＤＭ方式の無線送受信機１の概略の構成を示すブロック図である。
無線送受信機１は、受信回路５のＲＳＳＩ電圧とＡＧＣ利得との関係を示す受信ＡＧＣテーブルを用いてＡＧＣ制御を行うＯＦＤＭ方式の無線送受信機１であって、図１に示すように、送信回路３、受信回路５、スイッチ７、アンテナ９及び信号処理部３０を備えている。
【００３３】
送信回路３は、参照信号出力部１０、周波数変換器１２、可変増幅器１４を備えている。参照信号出力部１０は、所定の特性を有する参照信号を出力するものであり、直交成分振幅制御機能及び直交変調器４０を備えている。
【００３４】
直交成分振幅制御機能は、直交するＩ成分及びＱ成分の少なくとも一方の振幅を制御するものであり、信号処理部３０の一機能として実現される。また、直交変調器４０は、信号処理部３０の直交成分振幅制御機能で振幅を制御したＩ成分とＱ成分とを直交変調して、参照信号として出力する公知の変調器である。
【００３５】
周波数変換器１２は、基準信号を発生する図示しない発振器を有し、入力された信号を発振器が発信する高周波信号に基づいて、所定の周波数の電波信号に変換するものであり、スーパーへテロダイン方式などが用いられる。本実施形態では、参照信号出力部１０から出力され、可変増幅器１４で増幅された信号を所定の周波数の電波信号に変換する。
【００３６】
可変増幅器１４は、信号処理部３０からの指令信号を受け、利得を変化させることができるように構成された増幅器であり、参照信号出力部１０から出力される信号を、信号処理部３０から設定される利得を乗じた大きさの信号として出力する。
【００３７】
受信回路５は、ＲＳＳＩ電圧検出器２０、周波数変換器２２、可変減衰器２４、直交復調器５０及び直交成分振幅検出機能を備えている。
直交成分振幅検出機能は、直交するＩ成分及びＱ成分の振幅を二乗平均により求めるものであり、信号処理部３０の一機能として実現される。
【００３８】
ＲＳＳＩ電圧検出器２０は、参照信号出力部１０から出力した参照信号が漏れ信号として流れるときの受信電力値を示す電圧、すなわちＲＳＳＩ電圧を検出するための電力計である。
【００３９】
周波数変換器２２は、基準信号を発生する図示しない発振器を有し、入力された電波信号を発振器が発信する高周波信号に基づいて信号に変換するものであり、スーパーへテロダイン方式などが用いられる。本実施形態では、アンテナ９から入力された電波を所定の中間周波数の信号に変換する。
【００４０】
可変減衰器２４は、信号処理部３０からの指令信号を受け、減衰率を変化させることができるように構成された減衰器であり、周波数変換器２２から出力される信号を、信号処理部３０から設定される減衰率を乗じた大きさの信号として出力する。
【００４１】
直交復調器５０は、可変減衰器２４から入力される信号をＩ成分とＱ成分とに直交復調する公知の復調器である。
スイッチ７は、アンテナ９と送信回路３及び受信回路５の図示しない高周波伝送路を切り替えるためのものであり、高周波伝送路を切り替え、送信回路３から出力される電波をアンテナ９へ出力したり、アンテナ９で受信した電波を受信回路５へ入力したりする。スイッチ７としては、高周波伝送路を高速で切り替える高周波スイッチを用いてもよいし、サーキュレータを用いてもよい。
【００４２】
アンテナ９は、外部からの電波を受信し、受信回路５に供給したり、送信回路３からの電波を外部へ送信したりするためのものであり、無線送受信機１で使用する電波の周波数、電波の偏波、送受信出力あるいは設置する場所や設置方法などの使用条件や設置条件によって種々のアンテナを用いることができる。
【００４３】
例えば、ダイポールアンテナ、ループアンテナあるいは組合せアンテナなどの、いわゆる基本アンテナと称されるものや、ホーンアンテナやパラボラアンテナなどの開口アンテナ、複数の放射素子を配列したアレイアンテナなどを用いることができる。
【００４４】
信号処理部３０は、送信回路３及び受信回路５を制御し、受信ＡＧＣテーブルを補正するものであり、図示しないＣＰＵ、ＲＯＭ、ＲＡＭ、Ｉ／Ｏなどから構成され、以下の（ア）〜（オ）の処理を実行する。
【００４５】
（ア）直交変調器４０において、直交するＩ成分及びＱ成分の少なくとも一方の振幅を制御し、参照信号を出力させる。
（イ）ＲＳＳＩ電圧検出器２０からＲＳＳＩ電圧を取得する。
【００４６】
（ウ）（イ）で取得したＲＳＳＩ電圧と受信ＡＧＣテーブルとから可変減衰器２４の減衰率を取得し、その減衰率になるよう可変減衰器を制御する。
（エ）直交復調器５０で復調して得られた参照信号のＩ成分とＱ成分とを取得する。
【００４７】
（オ）取得した参照信号のＩ成分とＱ成分とを二乗平均して振幅を求め、求めた振幅の値が受信ＡＧＣの制御振幅誤差内の場合には、受信ＡＧＣテーブルの補正を完了し、受信ＡＧＣの制御振幅誤差内にない場合には、減衰率への補正値を加減して（ア）〜（オ）を繰り返す。
【００４８】
（信号処理部３０における補正処理の内容）
次に、信号処理部３０において実行される補正処理の内容について図２に基づき説明する。図２は、補正処理の流れを示すフローチャートである。補正処理では、まずＳ１００において、直交変調器４０に対し、直流のＩ成分及びＱ成分が設定され、直交変調器４０から無変調波が出力されるようにする。
【００４９】
Ｓ１０５では、ＲＳＳＩ電圧検出器２０からＲＳＳＩ電圧が取得され、そして、続くＳ１１０において補正値とカウントが０にリセットされ、Ｓ１１５において信号処理部３０内のカウンタが１カウントアップされる。続くＳ１２０においてカウンタが所定の値であるか否かが判定される。ここで、本実施形態では、所定の値は５である。
【００５０】
そして、カウンタの値が所定の値である場合（Ｓ１２０：Ｙｅｓ）、補正処理が終了され、カウンタの値が所定の値でない場合（Ｓ１２０：Ｎｏ）、処理がＳ１２５へ移行される。
【００５１】
Ｓ１２５では、受信ＡＧＣを施す。つまり、Ｓ１０５で得られたＲＳＳＩ電圧と受信ＡＧＣテーブルとから可変減衰器の減衰率を求める。
続くＳ１３０では、可変減衰器２４の減衰率が受信ＡＧＣテーブルで求めた値から減衰率の補正値（後述のＳ１５５又はＳ１６０で得られる値）を加算した値に設定される。
【００５２】
続くＳ１３５では、直交復調器５０からＩ成分（ＲＸ−Ｉ）及びＱ成分（ＲＸ−Ｑ）が取得され、続くＳ１４０では、ＲＸ−ＩとＲＸ−Ｑとが二乗平均され、直交復調器５０の出力の振幅が算出される。
【００５３】
続くＳ１４５では、Ｓ１４０において算出された振幅が受信ＡＧＣの制御振幅誤差の許容値内であるか否かが判定される。そして、振幅が許容値内の場合（Ｓ１４５：Ｙｅｓ）、補正処理が終了され（この時点の補正値が受信ＡＧＣテーブルの補正値として用いられる）、振幅が許容値内でない場合（Ｓ１４５：Ｎｏ）、処理がＳ１５０へ移行される。
【００５４】
Ｓ１５０では、Ｓ１４０において算出された振幅が受信ＡＧＣの制御振幅誤差の許容値（下限）以下であるか否かが判定される。そして、振幅が許容値以下の場合（Ｓ１５０：Ｙｅｓ）、処理がＳ１５５へ移行され、振幅が許容値以下でない場合（Ｓ１５０：Ｎｏ）、すなわち、受信ＡＧＣの制御振幅誤差の許容値（上限）以上である場合、処理がＳ１６０へ移行される。
【００５５】
Ｓ１５５では、可変減衰器２４の減衰率の補正値が所定の値だけ増加された後、処理がＳ１１５へ戻され、補正処理が繰り返される。また、Ｓ１６０では、可変減衰器２４の減衰率の補正値が所定の値だけ減ぜられた後、処理がＳ１１５へ戻され、補正処理が繰り返される。ここで、本実施形態では、所定の値はデジタル制御可変減衰器の最小単位（１ビット）である。
【００５６】
（無線送受信機１の特徴）
以上のようなＯＦＤＭ方式の無線送受信機１では、送信回路３から参照信号を出力させ、参照信号が受信回路５へ漏れ信号として流れるときのＲＳＳＩ電圧を検出し、参照信号を受信回路５で復調した直交復調信号の振幅を検出し、そして、直交復調信号の振幅と検出したＲＳＳＩ電圧とに基づき、受信ＡＧＣテーブルを補正している。
【００５７】
したがって、従来の無線送受信機のように、外部から送信される多数のパケットを受信する必要がなく、出力の値が無線送受信機１内部で設定できる参照信号を用いて受信ＡＧＣテーブルを補正することができるので、迅速に補正を行うことができる。
【００５８】
また、送信回路３やＲＳＳＩ電圧検出器２０は、無線送受信機が元来備えているものである。つまり、特別な回路などを必要とせず補正をすることができるので、簡単な仕組みで補正をすることができる。
【００５９】
また、受信ＡＧＣテーブルの補正では、直交復調信号の振幅とＲＳＳＩ電圧とから受信ＡＧＣテーブルにおけるＲＳＳＩ電圧に対するＡＧＣ利得のオフセットを補正している。したがって、受信ＡＧＣテーブルの誤差の主要因である、ＲＳＳＩ電圧に対するＡＧＣ利得のオフセットを効率よく補正をすることが可能となる。
【００６０】
さらに、信号処理部３０において、直交するＩ成分とＱ成分の少なくとも一方の振幅を制御し、制御したＩ成分とＱ成分と直交変調器４０で直交変調して参照信号として出力している。したがって、任意の振幅と位相を有する参照信号を出力させることができるので、個々の受信回路５の構成部品の特性に合わせて参照信号の特性を設定することができるので、補正の精度を高めることができる。
【００６１】
例えば、受信回路５の周波数特性がほぼ一定とみなせる場合、Ｉ成分とＱ成分の少なくとも一方に直流を設定して直交変調器４０から無変調波を出力することにより、平均化等の処理を行わなくても補正の精度を高めることができる。
【００６２】
また、受信回路５に、参照信号をＩ成分とＱ成分とに復調する直交復調器５０を備え、信号処理部３０では、直交復調器５０で復調して得られた参照信号のＩ成分とＱ成分とを二乗平均して振幅を求め、求めた振幅の値が所定の範囲内の場合には、直交復調信号の振幅及びＲＳＳＩ電圧検出手段で得られたＲＳＳＩ電圧を受信ＡＧＣテーブルの補正に用い、所定の範囲内にない場合には、参照信号及びＲＳＳＩ電圧検出器２０で得られたＲＳＳＩ電圧を受信ＡＧＣテーブルの補正に用いないようにしている。
【００６３】
したがって、受信回路５が発振状態となって、ＲＳＳＩ電圧が参照信号と無関係に変動する状態、つまり、ＲＳＳＩ電圧が補正にあたって無意味な値となった場合には、直交復調信号の振幅及びＲＳＳＩ電圧が受信ＡＧＣテーブルの補正に用いられないので、受信補正テーブルを正確に補正することができる。
【００６４】
［その他の実施形態］
以上、本発明の実施形態について説明したが、本発明は、本実施形態に限定されるものではなく、種々の態様を採ることができる。
【００６５】
（１）上記実施形態では、受信回路５に可変減衰器２４を用いているが、信号処理部３０から利得を制御することができる可変増幅器としてもよい。
（２）上記実施形態では、直交変調器４０から無変調波が出力されるようにしているが、直交変調器４０に対してＯＦＤＭ信号のような帯域を持った信号を入力してもよい。これにより、受信回路５が使用する周波数帯域全域の特性を考慮した補正を行うことができる。
【００６６】
（３）上記実施形態では、受信ＡＧＣテーブルのある１点の補正値を求める例を示しているが、送信回路３から出力する信号の振幅を変えながら同処理を繰り返してもよい。これにより、受信ＡＧＣテーブルの複数点の補正値を求めることができ、補正の精度を高めることができる。また、受信ＡＧＣテーブルのオフセット誤差のみならず傾き誤差まで補正することができる。
【００６７】
（４）上記実施形態では、直交変調器４０へ入力する信号振幅を制御しているが、送信回路３の可変増幅器１４の利得制御を用いるか併用してもよい。これにより、送信回路３から出力する信号の振幅の可変範囲をより大きくすることができる。
【図面の簡単な説明】
【００６８】
【図１】ＯＦＤＭ方式の無線送受信機１の概略の構成を示すブロック図である。
【図２】補正処理の流れを示すフローチャートである。
【符号の説明】
【００６９】
１…無線送受信機、３…送信回路、５…受信回路、７…スイッチ、９…アンテナ、１０…参照信号出力部、１２，２２…周波数変換器、１４…可変増幅器、２０…ＲＳＳＩ電圧検出器、２４…可変減衰器、３０…信号処理部、４０…直交変調器、５０…直交復調器。
【図１】
2009194836.tif 000003
【図２】
2009194836.tif 000004